(57)【要約】【課題】インターネット上で物品の販売を希望するユーザが、より簡便な方法で、かつ、迅速に商品相当額の金銭を入手することができる。【解決手段】複数の端末とネットワークを介して接続される電子商取引を管理する支援装置であって、代行依頼を送信した売り主端末から、代行依頼を受け付ける受付部と、売り主の情報を取得する売り主情報取得部と、商品情報、または、売り主の情報のうち少なくともいずれか１つに基づいて、代行者を抽出する抽出部と、代行者への商品の配送先情報を取得する代行者情報取得部と、代行者の代行者端末に、商品の情報を送信するとともに、売り主端末に、代行者への商品の配送先情報を送信する送信部と、代行者端末から、代行による売買対象となる商品の販売情報を取得する販売情報取得部と、販売情報を用いて、商品の販売を開始する実行部と、を備えた。【選択図】図２
2019091322.tif 000002
【特許請求の範囲】
【請求項１】
複数の端末とネットワークを介して接続される電子商取引を管理する支援装置であって、
商品情報を含む第三者への売買の代行依頼を送信した売り主端末から、前記代行依頼を受け付ける受付部と、
売り主の情報を取得する売り主情報取得部と、
前記受付部により受け付けられた商品情報、または、前記売り主情報取得部により取得された売り主の情報のうち少なくともいずれか１つに基づいて、売買を代行する代行者を抽出する抽出部と、
前記抽出部により抽出された代行者への商品の配送先情報を取得する代行者情報取得部と、
前記抽出部により抽出された代行者の代行者端末に、前記商品の情報を送信するとともに、前記売り主端末に、前記代行者情報取得部により取得された前記代行者への商品の配送先情報を示すコードを送信する送信部と、
前記代行者端末から、代行による売買対象となる商品の販売情報を取得する販売情報取得部と、
前記販売情報取得部により取得された販売情報を用いて、前記商品の販売を開始する実行部と、
を備えることを特徴とする支援装置。
【請求項２】
代行者の識別情報に、前記代行者が売買を代行した商品の種類を含む出品履歴と、代行者端末の識別情報と、前記代行者の氏名および住所が配送業者端末において識別可能な配送コードとをさらに対応付けて記憶する記憶部、をさらに備え、
前記商品情報取得部は、商品の種類を含む商品情報を取得し、
前記抽出部は、前記商品情報取得部により取得された商品情報に含まれる商品の種類を含む出品履歴に対応付けられている代行者の識別情報を抽出し、
前記代行者情報取得部は、前記記憶部から、前記抽出部により抽出された代行者の前記配送コードを取得し、
前記送信部は、前記抽出部により抽出された前記代行者端末の識別情報により識別される代行者端末に、前記商品の情報を送信するとともに、前記売り主端末に、前記抽出部により抽出された代行者の前記配送コードを送信すること、
を特徴とする請求項１に記載の支援装置。
【請求項３】
代行者の識別情報に、所定期間内における代行可能な出品件数と、代行者端末の識別情報と、前記代行者の氏名および住所が配送業者端末において識別可能な配送コードとを対応付けて記憶する記憶部、をさらに備え、
前記商品情報取得部は、商品の件数を含む商品情報を取得し、
前記抽出部は、前記記憶部から、前記商品情報取得部により取得された商品情報に含まれる商品の件数を売買可能な代行者の識別情報を抽出し、
前記代行者情報取得部は、前記記憶部から、前記抽出部により抽出された代行者の識別情報に対応付けらえた代行者端末の識別情報と前記配送コードとを取得し、
前記送信部は、前記代行者情報取得部により取得された前記代行者端末の識別情報により識別される代行者端末に、前記商品の情報を送信するとともに、前記売り主端末に、前記代行者情報取得部により取得された代行者の配送コードを送信すること、
を特徴とする請求項１に記載の支援装置。
【請求項４】
代行者の識別情報に、前記代行者の住所を含む代行者の情報と、代行者端末の識別情報と、前記代行者の氏名および住所が配送業者端末において識別可能な配送コードとを記憶する記憶部、をさらに備え、
前記売り主情報取得部は、売り主の住所を含む売り主の情報を取得し、
前記抽出部は、前記記憶部から、前記売り主情報取得部により取得された売り主の情報に含まれる住所から所定の距離内にある住所に対応付けられている代行者の識別情報を抽出し、
前記代行者情報取得部は、前記記憶部から、前記抽出部により抽出された代行者の識別情報に対応付けられた代行者端末の識別情報と前記配送コードとを取得し、
前記送信部は、前記代行者情報取得部により取得された前記代行者端末の識別情報により識別される代行者端末に、前記商品の情報を送信するとともに、前記売り主端末に、前記代行者情報取得部により取得された代行者の配送コードを送信すること、
を特徴とする請求項１に記載の支援装置。
【請求項５】
前記記憶部は、利用者の識別情報に、前記利用者の氏名および住所が配送業者端末において識別可能な配送コードを対応付けて記憶し、
前記実行部により実行された売買手続きにより、前記商品の売買取引が成立した場合に、取引相手の前記配送コードを取得する取引相手情報取得部、をさらに備え、
前記送信部は、前記代行者端末に、前記取引相手情報取得部により取得された前記取引相手の配送コードを送信すること、
を特徴とする請求項１〜４のいずれか１つに記載の支援装置。
【請求項６】
前記代行者により前記商品の売買手続きが開始される前に、前記売り主の所定の口座に所定の買取価格を入金する金融処理部、
をさらに備えることを特徴とする請求項１〜５のいずれか１つに記載の支援装置。
【請求項７】
前記売り主端末から、前記商品の配送開始を示す配送状況を受信する配送状況受信部、をさらに備え、
前記金融処理部は、前記配送状況受信部により前記配送状況が受信された場合に、所定の口座に前記買取価格を入金すること、
を特徴とする請求項６に記載の支援装置。
【請求項８】
複数の端末とネットワークを介して接続される電子商取引を管理する支援装置における支援方法であって、
商品情報を含む第三者への売買の代行依頼を送信した売り主端末から、前記代行依頼を受け付ける受付ステップと、
売り主の情報を取得する売り主情報取得ステップと、
前記受付ステップにより受け付けられた商品情報、または、前記売り主情報取得ステップにより取得された売り主の情報のうち少なくともいずれか１つに基づいて、売買を代行する代行者を抽出する抽出ステップと、
前記抽出ステップにより抽出された代行者への商品の配送先情報を取得する代行者情報取得ステップと、
前記抽出ステップにより抽出された代行者の代行者端末に、前記商品の情報を送信するとともに、前記売り主端末に、前記代行者情報取得ステップにより取得された前記代行者への商品の配送先情報を送信する送信ステップと、
前記代行者端末から、代行による売買対象となる商品の販売情報を取得する販売情報取得ステップと、
前記販売情報取得ステップにより取得された販売情報を用いて、前記商品の販売を開始する実行ステップと、
を含むことを特徴とする支援方法。
【請求項９】
複数の端末にネットワークを介して接続されたコンピュータを、電子商取引を管理する支援装置として機能させるプログラムであって、
前記コンピュータに、
商品情報を含む第三者への売買の代行依頼を送信した売り主端末から、前記代行依頼を受け付ける受付機能と、
売り主の情報を取得する売り主情報取得機能と、
前記受付機能により受け付けられた商品情報、または、前記売り主情報取得機能により取得された売り主の情報のうち少なくともいずれか１つに基づいて、売買を代行する代行者を抽出する抽出機能と、
前記抽出機能により抽出された代行者への商品の配送先情報を取得する代行者情報取得機能と、
前記抽出機能により抽出された代行者の代行者端末に、前記商品の情報を送信するとともに、前記売り主端末に、前記代行者情報取得機能により取得された前記代行者への商品の配送先情報を送信する送信機能と、
前記代行者端末から、代行による売買対象となる商品の販売情報を取得する販売情報取得機能と、
前記販売情報取得機能により取得された販売情報を用いて、前記商品の販売を開始する実行機能と、
を実現させることを特徴とするプログラム。
【請求項１０】
売り主端末と、
代行者端末と、
前記売り主端末および前記代行者端末とネットワークを介して接続される電子商取引を管理する支援装置と、
を備え、
前記売り主端末は、
商品情報を含む第三者への商品の売買の代行依頼を前記支援装置に送信する送信部と、
前記支援装置から、代行者への商品の配送先情報を受信する受信部と、
を有し、
前記代行者端末は、
代行による売買対象となる商品の販売情報を前記支援装置に送信する送信部と、
前記支援装置から、前記代行依頼に含まれる商品情報を受信する受信部と、
を有し、
前記支援装置は、
売り主端末から、前記代行依頼を受け付ける受付部と、
売り主の情報を取得する売り主情報取得部と、
前記受付部により受け付けられた商品情報、または、前記売り主情報取得部により取得された売り主の情報のうち少なくともいずれか１つに基づいて、売買を代行する代行者を抽出する抽出部と、
前記抽出部により抽出された代行者への商品の配送先情報を取得する代行者情報取得部と、
前記抽出部により抽出された代行者の代行者端末に、前記商品の情報を送信するとともに、前記売り主端末に、前記代行者情報取得部により取得された前記代行者への商品の配送先情報を送信する送信部と、
前記代行者端末から、前記商品の販売情報を取得する販売情報取得部と、
前記販売情報取得部により取得された販売情報を用いて、前記商品の販売を開始する実行部と、
を有することを特徴とする支援システム。
【発明の詳細な説明】
【技術分野】
【０００１】
この発明は、電子商取引を支援する支援装置、支援方法、支援プログラムおよび支援システムに関する。
【背景技術】
【０００２】
従来、オークションなどのインターネットを用いた商品の売買が身近に活用されており、オークションを含むインターネット上で個人所有の持ち物などを第三者に販売することを希望するユーザも増えている。しかし、例えば、オークションへの出品を希望しても、実際の出品を断念する要因として、出品手続きの煩雑さや出品作業に割かれる時間などが挙げられる。
【０００３】
そこで、インターネットオークションを含む電子商取引での販売手続きをより簡便なものとすることにより、商品の販売を希望するユーザが迅速に商品の代金を入手することができる種々のシステムが開発されている。例えば、特許文献１には、ユーザの音声データをあらかじめシステムに蓄積しておき、出品時にユーザの発話データと蓄積されている音声データを照合することにより、ユーザの発話により出品情報を設定する方法が開示されている（例えば、特許文献１）。
【０００４】
しかし、特許文献１による方法では、ユーザが音声をあらかじめシステムに登録する手間が発生することとなり、音声の登録を負担に感じるユーザにとってはこのようなシステムであっても利用されないこととなる。このような事態を回避すべく、オークションを活用する市場において、オークションへの出品を代行する実店舗を持つ代行店が、商品の査定を行い、中古品買取という形で買取希望者に代金を支払うサービスが出現してきている。
【先行技術文献】
【特許文献】
【０００５】
【特許文献１】特開２０１５-２１９８０９号公報
【発明の概要】
【発明が解決しようとする課題】
【０００６】
しかしながら、代行店においては、代行店の人件費や営業利益が考慮され、オークションにおける落札価格よりも低い査定がなされることが多く、商品の買取希望者にとっては満足度が低くなるとともに、代行店にとっても、商品の種類や点数によっては、円滑な販売が滞ることになる。
【０００７】
そこで、本発明は、インターネット上で代行による物品の売買取引を円滑に行うことができる支援装置、支援方法、支援プログラムおよび支援システムを提供することを目的とする。
【課題を解決するための手段】
【０００８】
上記課題を解決するため、本発明に係る支援装置は、複数の端末とネットワークを介して接続される電子商取引を管理する支援装置であって、商品情報を含む第三者への売買の代行依頼を送信した売り主端末から、代行依頼を受け付ける受付部と、売り主の情報を取得する売り主情報取得部と、受付部により受け付けられた商品情報、または、売り主情報取得部により取得された売り主の情報のうち少なくともいずれか１つに基づいて、売買を代行する代行者を抽出する抽出部と、抽出部により抽出された代行者への商品の配送先情報を取得する代行者情報取得部と、抽出部により抽出された代行者の代行者端末に、商品の情報を送信するとともに、売り主端末に、代行者情報取得部により取得された代行者への商品の配送先情報を送信する送信部と、代行者端末から、代行による売買対象となる商品の販売情報を取得する販売情報取得部と、販売情報取得部により取得された販売情報を用いて、商品の販売を開始する実行部と、を備えた。
【発明の効果】
【０００９】
本発明によれば、インターネット上で代行による物品の売買取引を円滑に行うことができる。
【図面の簡単な説明】
【００１０】
【図１】本実施形態における支援システムの全体構成の一例を示す図である。
【図２】本実施形態における支援装置の機能構成の一例を示すブロック図である。
【図３】本実施形態におけるユーザ情報の一例を示す図である。
【図４】本実施形態におけるクラウドワーカー情報の一例を示す図である。
【図５】本実施形態における相場情報の一例を示す図である。
【図６】本実施形態における商品画像の一例を示す図である。
【図７】本実施形態における出品対象となる商品のリストの一例を示す図である。
【図８】本実施形態における出品情報の一例を示す図である。
【図９】本実施形態における出品対象となる商品のリストの一例を示す図である。
【図１０】本実施形態における出品情報の一例を示す図である。
【図１１】本実施形態における出品依頼者の端末装置の機能構成の一例を示すブロック図である。
【図１２】本実施形態におけるクラウドワーカーの端末装置の機能構成の一例を示すブロック図である。
【図１３】本実施形態における支援装置による代理出品を支援する処理を示す１つ目のフローチャートである。
【図１４】本実施形態における支援装置による代理出品を支援する処理を示す２つ目のフローチャートである。
【図１５】本実施形態における支援装置による代理出品を支援する処理を示すフローチャートである。
【図１６】本実施形態における支援装置による落札者への商品の配送処理を示す１つ目のフローチャートである。
【図１７】本実施形態における支援装置による落札者への商品の配送処理を示すフローチャートである。
【図１８】本実施形態における支援装置と、出品依頼者の端末装置と、クラウドワーカーの端末装置による出品代行処理の流れを示すシーケンス図である。
【図１９】本実施形態における支援装置と、落札者の端末装置と、クラウドワーカーの端末装置による落札された商品の発送処理の流れを示すシーケンス図である。
【図２０】本実施形態における支援装置の機能を実現するコンピュータの一例を示すハードウェア構成図である。
【発明を実施するための形態】
【００１１】
以下に、図面を用いて本発明に係る支援装置、支援方法、支援プログラムおよび支援システムの実施の形態を説明する。なお、本実施形態において、電子商取引の一例としてオークションを例示して説明するが、この実施の形態により本発明が限定されるものではなく、フリマサービスのような固定価格による電子商取引も含むことは言うまでもない。
【００１２】
まず、支援システムの構成の一例について説明する。図１は、本実施形態における支援システムの全体構成の一例を示す図である。図１に示すように、本実施形態の支援システム１は、オークションへの出品を支援する支援装置１００が、出品依頼者の端末装置２００ａと、出品代行者の端末装置２００ｂと、落札者の端末装置２００ｃとネットワーク１０を介して相互通信可能に接続されている。以下の説明において、これら端末装置２００ａ〜２００ｃは、特に明示する場合を除き、端末装置２００と総称する。また、図１においては、端末装置２００ａ〜２００ｃの３台を図示するが、端末装置の数はこれに限定されず、落札者以外の入札者の端末装置がさらに複数台あってもよい。なお、これら支援システムの各部は任意の通信路を介して通信可能に接続されている。
【００１３】
図２は、本実施形態における支援装置１００の機能構成の一例を示すブロック図である。図２に示すように、支援装置１００は、制御部１０１と、記憶部１２０と、通信制御インターフェース部１３０とを備えている。
【００１４】
記憶部１２０は、ユーザ情報データベース１２１と、クラウドワーカー情報データベース１２２と、相場情報データベース１２３と、画像情報データベース１２４とを記憶する。
【００１５】
ユーザ情報データベース１２１には、ユーザ情報が格納されている。ユーザ情報とは、ユーザの識別情報に、ユーザ端末の識別情報や、ユーザの個人情報や、商品の配送先情報などが対応付けられた情報である。図３は、本実施形態におけるユーザ情報の一例を示す図である。図３に示すユーザ情報では、ユーザＩＤに、メールアドレスと、パスワードと、氏名、住所、電話番号を含む個人情報と、配送コードとが対応付けられている。なお、配送コードとは、ＱＲコード（登録商標）や、バーコードなどであって、これらのコードを配送業者端末において読み取ることで、識別可能な商品の配送先となる氏名、住所、電話番号などの情報またはそれらの情報を取得するための情報を取得することができる。
【００１６】
クラウドワーカー情報データベース１２２には、クラウドワーカー情報が格納されている。クラウドワーカー情報とは、クラウドワーカーＩＤに、クラウドワーカー端末の識別情報や、氏名、住所、電話番号を含む個人情報や、商品の配送先情報や、出品履歴や、出品代行の処理情報などが対応付けられた情報である。ここで、クラウドワーカーとは、あらかじめ、支援システムに登録されている出品代行者のことであり、クラウドワーカーは、支援装置からの指示に応じて出品依頼者または支援システムの運営者に代わってオークションへの出品手続きを代行する。また、クラウドワーカーは、支援装置からの指示に従って、出品者に代行して出品したオークションにおいて、代行によらない通常のオークションにおいては出品依頼者が商品の発送元となり、落札者が受取人となる商品の受け渡しにつき、中継となる役割を果たす。
【００１７】
図４は、本実施形態におけるクラウドワーカー情報の一例を示す図である。図４に例示するクラウドワーカー情報では、クラウドワーカーＩＤに、メールアドレスと、パスワードと、氏名、住所、電話番号を含む個人情報と、配送コードとが対応付けられている。また、図５は、本実施形態における出品履歴を含むクラウドワーカー情報の一例を示す図である。図５では、クラウドワーカーＩＤに、出品履歴が対応付けられている。出品履歴は、各クラウドワーカーがこれまでに出品代行したオークションの相場情報であり、出品した日付に、商品の種類と落札価格が対応付けられている。ここで、商品の種類には、商品が属するカテゴリ「子供服」など、ブランド・メーカー名「〇〇ハウス」など、サイズ・型番「１００ｃｍ」などが含まれる。また、図６は、本実施形態における処理情報を含むクラウドワーカー情報の一例を示す図である。図６では、クラウドワーカーＩＤに、処理情報が対応付けられている。処理情報とは、クラウドワーカーが所定期間内において出品代行可能な出品件数と、当該期間内においてすでに出品を終了した件数と、現在出品中の件数を示す情報である。つまり、出品を終了した件数と、出品中の件数の和を出品件数から引いた数が当該期間内において処理可能な残りの件数となる。図６に示すように、例えば、クラウドワーカーＩＤ「ｃ０００１」により識別されるクラウドワーカーは、９／１〜９／３０までの期間において、出品可能な件数は１０件であり、出品終了が２件、現在出品中が２件あることから、当該期間内において処理可能な出品件数は、残り６件であることを示す。
【００１８】
相場情報データベース１２３には、相場情報が格納されている。相場情報とは、支援装置１００により実行されたオークションにおいて落札された商品の種類に、落札者や落札価格などを対応付けた情報であり、同一の種類の商品が複数該当する場合は、落札相場を示す情報である。また、商品の種類とは、商品が属するカテゴリ（例えば、大項目「家電」小項目「掃除機」など）、ブランドやメーカ、サイズや品番などである。図７は、本実施形態における相場情報の一例を示す図である。図７に示すように、例えば、ユーザＩＤ「Ａ００１」に、落札日時「２０１６年９月２８日２３時０１分」と、商品の種類「子供服・Ｔシャツ（カテゴリ）、××ハウス（メーカ）、１００ｃｍ・ｍ０３４（サイズ・品番）」と、商品の状態「新品同様」と、落札価格「１５００円」とが対応付けられている。
【００１９】
画像情報データベース１２４には、画像情報が格納されている。ここで、画像情報とは、商品画像の識別情報に、商品の種類と商品画像が対応付けられた情報のことである。
【００２０】
制御部１０１は、受付部１０２と、判定部１０３と、算出部１０４と、抽出部１０５と、生成部１０６と、取得部１０７と、実行部１０８と、入金処理部１０９と、送信部１１０と、受信部１１１とを備えている。ここで、判定部１０３は、本発明における判定部と、買取成否判定部に相当する。また、取得部１０７は、本発明における売り主情報取得部と、代行者情報取得部と、販売情報取得部と、取引相手情報取得部に相当する。また、送信部１１１は、本発明における通知部と、送信部に相当する。
【００２１】
受付部１０２は、出品依頼者の端末装置２００ａから送信された出品依頼を、通信制御インターフェース部１３０を介して受け付ける。ここで、出品依頼には、出品依頼の対象となる商品画像や、出品依頼者のユーザＩＤなどが含まれる。受付部１０２は、受け付けた出品依頼に含まれる商品画像を画像情報データベース１２４に保存する。図８は、本実施形態における商品画像の一例を示す図である。図８において、１つの商品画像にＴシャツとワンピースの２点の商品が含まれる。
【００２２】
判定部１０３は、受付部１０２により受け付けられた出品依頼に含まれる商品画像から商品の状態と商品の種類を判定する。具体的には、判定部１０３は、商品画像から識別される商品のデザイン、ロゴ、タグなどを特定し、これらの情報から商品の種類を特定する。判定部１０３は、特定した商品の種類に対応する新品の商品画像を、画像情報データベース１２４から取得し、出品依頼に含まれる商品画像と、取得した新品の商品画像とを比較して、出品依頼に含まれる商品画像から識別される商品の状態を判定する。例えば、判定部１０３は、商品の状態を状態に応じて「新品同様」「やや綺麗」「綺麗」「ふつう」「使用感あり」など複数のレベルに判定する。また、判定部１０３は、商品画像から識別される商品のデザイン、ロゴ、タグなどを特定し、これらの情報から商品の種類を特定する。
【００２３】
また、判定部１０３は、出品依頼者の端末装置２００ａから商品の買取の承諾を受信した場合に、商品の買取が成立したと判定する。
【００２４】
算出部１０４は、判定部１０３により判定された商品の状態と、画像に含まれる商品の売買相場情報に基づいて、商品の買取価格を算出する。例えば、算出部１０４は、相場情報データベース１２３を参照して、判定部１０３により判定された商品の種類に対応する商品の相場情報を取得する。具体的には、算出部１０４は、判定部１０３により判定された商品の種類に対応する商品を相場情報データベース１２３から検索し、該当する商品の状態と落札価格を取得する。また、算出部１０４は、特定した商品の種類に対応する商品が相場情報データベース１２３において複数該当する場合、相場価格として、複数の落札価格の平均値を取得したり、最低落札価格から最高落札価格を取得したりしてもよい。また、算出部１０４は、同種類の商品の落札相場情報を、相場情報データベース１２３から取得したり、通信制御インターフェース部１３０を介して、他のオークションシステムにおける落札相場情報や、インターネット上の中古販売の相場情報などを取得したりしてもよい。算出部１０４は、取得した複数の相場情報から相場価格の平均値を求め、求めた平均値を複数の商品の状態のランクに応じて所定の係数を乗じた額を買取価格として算出してもよい。または、算出部１０４は、取得した相場情報と、商品の状態から、機械学習などにより推定価格を推定し、推定価格を買取価格としてもよい。
【００２５】
また、算出部１０４は、算出した買取価格に、出品代行の所定の手数料を引いた額を買取価格として算出する。例えば、算出部１０４は、算出した買取価格に１０パーセントの手数料率を乗じた額を買取価格として算出してもよい。なお、出品代行の手数料は、クラウドワーカーと、支援システム１の事業運営者とで所定割合に基づいて分配されることとなる。また、出品代行の手数料の分配は、クラウドワーカーに対する商品購入者や支援システム１の事業運営者からの評価、クラウドワーカーの出品代行履歴や出品代行期間に基づいて決定しても良いし、出品した商品の配送地域や季節性のある商品について季節によって決定しても良いし、出品した商品自体や商品のカテゴリに基づいて決定しても良い。さらにこれらの要素を組み合わせて出品代行の手数料の分配を決定しても良い。
【００２６】
抽出部１０５は、受信部１１２により、出品依頼者の端末装置２００ａから買取承諾を受信した場合、所定の情報に基づいてクラウドワーカー情報データベース１２２から、出品を代行するクラウドワーカーを抽出する。例えば、所定の情報として、出品依頼者の住所、出品依頼に含まれる商品画像により識別される商品の種類、クラウドワーカーの出品代行可能な処理件数などがある。
【００２７】
具体的には、抽出部１０５が、出品依頼者の住所に基づいてクラウドワーカーを抽出する例としては、抽出部１０５は、受付部１０２により受け付けた出品依頼を送信した出品依頼者の端末装置２００ａにより識別される出品者の住所をユーザ情報データベース１２１から取得する。次に、抽出部１０５は、クラウドワーカー情報データベース１２２を参照し、取得した住所から所定の距離内の住所に対応付けられているクラウドワーカーＩＤを取得し、取得したクラウドワーカーＩＤにより識別されるクラウドワーカーを出品代行者として抽出する。
【００２８】
また、抽出部１０５が、出品依頼に含まれる商品画像により識別される商品の種類に基づいて、クラウドワーカーを抽出する例としては、抽出部１０５は、クラウドワーカー情報データベース１２２を参照して、当該商品の種類が示す商品のカテゴリに属する商品を過去、所定件数以上落札した履歴があるクラウドワーカーを出品代行者として抽出する。
【００２９】
また、抽出部１０５は、出品代行可能な処理件数に基づいてクラウドワーカーを抽出する例としては、抽出部１０５は、出品依頼に含まれる商品画像から、商品画像により識別される商品の点数を取得し、クラウドワーカー情報データベース１２２を参照して、取得した商品の点数を同時出品可能なクラウドワーカーＩＤを抽出する。
【００３０】
取得部１０７は、出品者情報（売り主情報）と、クラウドワーカー情報（代行者情報）と、出品情報（販売情報）と、落札者情報（取引相手情報）と、配送コードとを取得する。
【００３１】
具体的には、取得部１０７は、受付部１０２により受け付けられた出品依頼に含まれるユーザＩＤに対応するユーザ情報を、ユーザ情報データベース１２１から取得する。また、取得部１０７は、抽出部１０５により抽出されたクラウドワーカーのクラウドワーカーＩＤに対応する配送コードを含むクラウドワーカー情報を、クラウドワーカー情報データベース１２２から取得する。さらに、取得部１０７は、クラウドワーカーにより出品された商品がオークションにおいて落札された場合に、入札時のユーザＩＤに対応する落札者の配送コードを含むユーザ情報を、ユーザ情報データベース１２１から取得する。
【００３２】
また、取得部１０７は、クラウドワーカーの端末装置２００ｂから送信された出品情報を、通信制御インターフェース部１３０を介して取得する。ここで、出品情報とは、出品対象となる商品の種類、商品説明、商品画像、開始価格など出品に関する情報であって、オークションの表示画面に表示される情報を構成するものである。図１０は、本実施形態における出品情報の一例を示す図である。図１０に示すように、出品情報は、商品画像と、商品の種類と、説明文を含み、ユーザ端末において一画面上に表示される構成要素となる。
【００３３】
入金処理部１０９は、受信部１１２により出品依頼者の端末装置２００ａから買取承諾が受信された場合に、クラウドワーカーにより出品される前の所定のタイミングで、出品依頼者の所定の口座に算出部１０５により算出された買取価格を入金する。ここで、所定のタイミングとしては、出品依頼者の端末装置２００ａから買取承諾を受信した時点、配送業者の端末装置（図示せず）から、商品の受取通知を受信した時点、または、クラウドワーカーの端末装置２００ｂから、商品の受取通知を受信した時点などのいずれであってもよい。
【００３４】
また、入金処理部１０９は、クラウドワーカーの端末装置２００ｂにより出品されたオークションにおいて落札された商品の落札価格が買取価格の所定割合以上の金額であるか否かを判定し、所定割合以上の金額であると判定した場合、所定料率に基づいて出品依頼者に追加で支払う追加支払価格を算出する。例えば、入金処理部１０５は、落札価格が買取価格の８０パーセント以上多い金額であった場合、落札価格に２０パーセントの料率を掛けた額を追加支払価格として算出する。
【００３５】
送信部１１１は、インターフェース制御部１３０を介して端末装置２００に所定の情報を送信する。具体的には、送信部１１１は、買取価格の通知、または、追加支払金額に関する情報を出品依頼者の端末装置２００ａに送信する。また、送信部１１０は、出品依頼者の端末装置２００ａから受信した商品画像を、クラウドワーカーの端末装置２００ｂに送信する。また、送信部１１０は、取得部１０７により取得されたクラウドワーカーの配送コードを出品依頼者の端末装置２００ａに送信する。同様に、送信部１１０は、取得部１０７により取得された落札者の配送コードをクラウドワーカーの端末装置２００ｂに送信する。具体的には、出品依頼者は、配送業者に商品の引き取り日時を指定した上で、配送業者が出品依頼者の元へ商品を受け取りに行き、受取時に出品依頼者が出品依頼者の端末装置２００ａから印刷した配送コードを商品とともに配送業者に手渡すこととなる。配送コードは、配送業者端末において配送先となるクラウドワーカーの氏名および住所が識別されることとなる。なお、配送コードは、配送業者端末および支援装置１００においてのみ識別可能となるので、出品依頼者とクラウドワーカーとの間では匿名で発送および受取が可能となる。
【００３６】
受信部１１２は、通信制御インターフェース制御部１３０を介して端末装置２００から所定の情報を受信する。具体的には、受信部１１２は、出品依頼者の端末装置２００ａから、送信部１１１により送信された買取価格による買取承諾を示す情報を受信する。また、受信部１１２は、出品依頼者の端末装置２００ａから、配送業者への商品引き渡しを示す配送状況に関する情報などを受信する。
【００３７】
生成部１０７は、受信部１１２により出品依頼者の端末装置２００ａから買取承諾を受信した場合、出品依頼に含まれる商品画像を基に、出品対象となる商品の種類と商品画像を含むリストを生成する。具体的には、生成部１０７は、出品依頼に含まれる商品画像により識別される商品の種類を、デザイン、ロゴ、タグなどから特定し、特定した商品の種類に商品画像の画像ＩＤを対応付ける。図９は、本実施形態における出品対象となる商品のリストの一例を示す図である。図９は、商品のリストの一例を示す図である。図９に示すように、商品のリストには、大項目と、小項目と、メーカ、サイズと、画像ＩＤが対応付けられている。
【００３８】
実行部１１０は、取得部１０７により取得された出品情報を用いてオークションを実行する。具体的には、実行部１０８は、出品情報に示される商品画像や商品説明を所定のフォーム上にレイアウトした表示画面を生成し、生成した表示画面を用いてユーザからの入札を受け付け、所定のオークション開催期間の終了時における最高価格の入札者を落札者として判定する。また、実行部１０８は、所定のオークション開催期間の終了時に落札者が存在するか否かを判定し、落札者が存在すると判定した場合は、ユーザ情報データベース１２１を参照して落札者の配送先情報を取得し、取得した落札者の配送先情報に暗号化処理を施した上で配送先情報を、送信部１１１を介して、クラウドワーカーの端末装置２００ｂに送信する。また、実行部１０８は、所定のオークション開催期間の終了時に落札者が存在すると判定した場合は、落札者の端末装置２００ｃに落札価格の入金依頼を示す情報を送信する。
【００３９】
また、他の例として、実行部１０８は、出品情報取得部１０９により取得された出品情報を用いてフリマサービスによる出品を実行する。ここで、フリマサービスとは、フリーマーケット形式による販売方法であって、オークション形式とは異なり出品時に固定価格が出品者により提示される。具体的には、実行部１０８は、出品情報に示される商品画像、商品説明、ならびに販売価格を所定のフォーム上にレイアウトした表示画面を生成し、生成した表示画面を用いてユーザからの購入申込を受け付け、最初に購入申込を受け付けた端末装置２００のユーザを購入者として判定する。実行部１０８は、購入申込を受け付けた場合は、表示画面上に取引終了を出力するとともに、ユーザ情報データベース１２１を参照して購入者の配送先情報を取得し、取得した購入者の配送先情報に暗号化処理を施した上で配送先情報を、送信部１１１を介して、クラウドワーカーの端末装置２００ｂに送信する。また、実行部１０８は、購入者の端末装置２００に販売価格の入金依頼を示す情報を送信する。
【００４０】
通信制御インターフェース部１３０は、通信回線や電話回線等に接続されるアンテナやルータ等の通信装置（図示せず）に接続されるインターフェースである。通信制御インターフェース部１３０は、端末装置２００等のような外部装置と通信回線を介してデータを通信する機能を有している。
【００４１】
次に、出品依頼者の端末装置２００ａの機能構成について説明する。図１１は、出品依頼者の端末装置２００ａの機能構成の一例を示すブロック図である。図１１に示すように、出品依頼者の端末装置２００ａは、制御部２０１と、記憶部２１０と、通信制御インターフェース部２２０と、入出力制御インターフェース部２３０と、表示部２３１と、入力部２３２とを備えている。
【００４２】
記憶部２１０は、画像情報データベース２１１を記憶する。画像情報データベース２１１は、出品画像などの画像情報を格納する。表示部２３１は、液晶画面などから構成されるディスプレイ、モニタ、または、タッチパネル等の情報を出力する画面等である。入出力制御インターフェース部２３０は、表示部２３１や入力部２３２への制御を行う。
【００４３】
制御部２０１は、受付部２０２と、画像取得部２０３と、受信部２０４と、送信部２０５とを備える。ここで、送信部２０５は、本発明における承諾受信部と、出品依頼送信部に相当する。
【００４４】
受付部２０２は、入力部２３２から入力された情報を入出力制御インターフェース部２３０を介して受け付ける。受付部２０２は、画像情報を含む出品依頼や、買取承諾の入力、出品対象となる商品の配送状況などの入力を受け付ける。
【００４５】
画像取得部２０３は、入出力制御インターフェース部２３０にＵＳＢケーブルなどにより接続されるスキャナ（図示せず）や、カメラ（図示せず）から商品画像を取得し、取得した商品画像を画像情報データベース２１１に保存する。また、画像取得部２０３は、端末装置２００ａが内蔵型カメラを備える端末である場合、内蔵型カメラにより撮像された商品画像を取得してもよい。
【００４６】
送信部２０５は、各種情報を支援装置１００などの外部装置に送信する。例えば、送信部２０５は、商品画像を含む出品依頼に関する情報を、通信制御インターフェース部２２０を介して支援装置１００に送信する。
【００４７】
受信部２０４は、各種情報を支援装置１００などの外部装置から受信する。例えば、受信部２０４は、支援装置１００から送信される買取価格に関する情報や、出品対象となる商品の暗号化処理が施された配送先情報などを通信制御インターフェース部２２０を介して受信する。
【００４８】
通信制御インターフェース部２２０は、通信回線や電話回線等に接続されるアンテナやルータ等の通信装置（図示せず）に接続されるインターフェースである。すなわち、通信制御インターフェース部１３０は、支援装置１００等のような外部装置と通信回線を介してデータを通信する機能を有している。
【００４９】
次に、クラウドワーカーの端末装置２００ｂの機能構成について説明する。図１２は、クラウドワーカーの端末装置２００ｂの機能構成の一例を示すブロック図である。図１２に示すように、クラウドワーカーの端末装置２００ｂは、記憶部２４０と、制御部２５０と、通信制御インターフェース部２６０と、入出力制御インターフェース部２７０と、表示部２７１と、入力部２７２とを備えている。
【００５０】
記憶部２４０は、出品情報データベース２４１を記憶する。出品情報データベース２４１は、出品対象となる商品の説明文や商品画像などで構成される出品情報を格納する。表示部２７１は、液晶画面などから構成されるディスプレイ、モニタ、または、タッチパネル等の情報を出力する画面等である。入出力制御インターフェース部２７０は、表示部２７１や入力部２７２への制御を行う。
【００５１】
制御部２５０は、受信部２５１と、生成部２５２と、送信部２５３とを備える。
【００５２】
受信部２５１は、各種情報を支援装置１００などの外部装置から受信する。例えば、受信部２５１は、商品画像を含む出品依頼に関する情報や、落札者への商品の暗号化処理が施された配送先情報などを、通信制御インターフェース部２６０を介して受信する。
【００５３】
生成部２５２は、受信部２５１により支援装置１００から受信した出品依頼に関する情報を用いて出品情報を生成し、生成した出品情報を出品情報データベースに保存する。
【００５４】
送信部２５３は、各種情報を支援装置１００などの外部装置に送信する。例えば、送信部２５３は、生成部２５２により生成された出品情報を、通信制御インターフェース部２６０を介して支援装置１００に送信する。
【００５５】
次に、支援装置１００による代理出品支援の処理について３つの例を用いて説明する。図１３は、本実施形態における支援装置１００による代理出品を支援する処理を示す１つ目のフローチャートである。図１３に示すフローチャートでは、支援装置１００の入金処理部１０９による買取価格の入金処理を行うタイミングとして、支援装置１００の受信部１１１により買取承諾を受信した後である例を示す。
【００５６】
支援装置１００の受付部１０２は、出品依頼者の端末装置２００ａから受信した商品画像を含む出品依頼を受け付ける（ステップＳ１１）。支援装置１００の判定部１０３は、出品依頼に含まれる商品画像により識別される商品の状態を判定する（ステップＳ１２）。
【００５７】
支援装置１００の取得部１０７は、相場情報データベース１２３を参照して、出品依頼に含まれる商品画像により識別される商品の種類に対応する商品の落札相場に関する情報を取得する（ステップＳ１３）。
【００５８】
支援装置１００の算出部１０５は、出品依頼に含まれる商品画像により識別される商品の買取価格を算出する（ステップＳ１４）。具体的には、オークションの支援装置１００の算出部１０５は、出品依頼に含まれる商品画像により識別される商品の状態と、ステップＳ１３において取得した落札相場情報に示される落札相場から、買取価格を算出する。ここで、支援装置１００の算出部１０５は、落札相場情報が示す相場価格の平均値から、出品代行にかかる所定の手数料を差し引いた金額を買取価格と算出してもよい。
【００５９】
支援装置１００の送信部１１０は、ステップＳ１４において算出された買取価格を、出品依頼者の端末装置２００ａに通知する（ステップＳ１５）。支援装置１００の抽出部１０７は、出品依頼者の端末装置２００ａにより買取承諾を受信したか否かを判定し（ステップＳ１６）、買取承諾を受信したと判定した場合は（ステップＳ１６：Ｙｅｓ）、当該出品依頼にかかる出品を代行するクラウドワーカーを抽出する（ステップＳ１７）。例えば、支援装置１００の抽出部１０７は、出品依頼を送信した端末装置２００ａの端末ＩＤに対応付けられている出品依頼者の住所を、ユーザ情報データベース１２１から取得し、取得した住所から所定の距離内にある住所に対応付けられているクラウドワーカーＩＤにより識別されるクラウドワーカーを、出品代行者として抽出する。
【００６０】
続いて、支援装置１００の入金処理部１０９は、入金処理を行う（ステップＳ１８）。具体的には、支援装置１００の入金処理部１０９は、出品依頼者によりあらかじめ指定された所定の口座に買取価格を入金する。また、支援装置１００の送信部１１０は、クラウドワーカーの配送コードを出品依頼者の端末装置２００ａに送信する（ステップＳ１９）。
【００６１】
一方、支援装置１００の入金処理部１０９は、出品依頼者の端末装置２００ａにより買取承諾を受信しなかったと判定した場合は（ステップＳ１６：Ｎｏ）、買取を不成立と判定する（ステップＳ２０）。すなわち、支援装置１００の入金処理部１０９は、入金処理を行わず、支援装置１００は処理を終了する。
【００６２】
次に、支援装置１００による代理出品支援の処理の２つ目の例について説明する。図１４は、本実施形態における支援装置１００による代理出品を支援する処理を示す２つ目のフローチャートである。図１４に示すフローチャートでは、支援装置１００の入金処理部１０９による買取価格の入金処理を行うタイミングとして、支援装置１００の受信部１１１により配送状況を受信した後である１つ目の例を示す。なお、ステップＳ２１〜ステップＳ２６、および、ステップＳ３１〜ステップＳ３６の処理は、図１２において説明したステップＳ１１〜ステップＳ１６の処理に相当するため説明を省略する。
【００６３】
まず、図１３において、支援装置１００の送信部１１０は、クラウドワーカーの配送コードを出品依頼者の端末装置２００ａに送信する（ステップＳ２８）。次に、支援装置１００の入金処理部１０９は、配送業者の端末装置（図示せず）から、商品の引き取りを示す配送状況を受信したか否かを判定する（ステップＳ２９）。支援装置１００の入金処理部１０９は、商品の引き取りを示す配送状況を受信したと判定した場合（ステップＳ２９：Ｙｅｓ）、入金処理を行う（ステップＳ３０）。一方、支援装置１００の入金処理部１０９は、商品の引き取りを示す配送状況を受信しなかったと判定した場合（ステップＳ２９：Ｎｏ）、買取を不成立と判定する（ステップＳ３１）。すなわち、支援装置１００の入金処理部１０９は入金を行わない。
【００６４】
次に、支援装置１００による代理出品支援の処理の３つ目の例について説明する。図１５は、本実施形態における支援装置１００による代理出品を支援する処理を示すフローチャートである。図１５に示すフローチャートでは、支援装置１００の入金処理部１０９による買取価格の入金処理を行うタイミングとして、支援装置１００の受信部１１１により配送状況を受信した後である２つ目の例を示す。図１４において、支援装置１００の送信部１１０は、クラウドワーカーの配送コードを出品依頼者の端末装置２００ａに送信する（ステップＳ３８）。次に、支援装置１００の入金処理部１０９は、クラウドワーカーの端末装置２００ｂから、商品の受け取りを示す配送状況を受信したか否かを判定する（ステップＳ３９）。支援装置１００の入金処理部１０９は、商品の受け取りを示す配送状況を受信したと判定した場合（ステップＳ３９：Ｙｅｓ）、入金処理を行う（ステップＳ４０）。一方、支援装置１００の入金処理部１０９は、商品の受け取りを示す配送状況を受信しなかったと判定した場合（ステップＳ３９：Ｎｏ）、買取を不成立と判定する（ステップＳ４１）。すなわち、支援装置１００の入金処理部１０９は入金を行わない。
【００６５】
次に、支援装置１００による落札者への商品配送処理について２つの例を用いて説明する。１つ目の例として、落札者による入金前に発送する例を示す。図１６は、本実施形態における支援装置１００による落札者への商品の配送処理を示す１つ目のフローチャートである。
【００６６】
まず、図１６において、支援装置１００の実行部１０８は、落札者の有無を判定する（ステップＳ５１）。支援装置１００の入金処理部１０９は、ステップＳ５１において、落札者ありと判定された場合は（ステップＳ５１：Ｙｅｓ）、落札者の端末装置２００ｃに落札価格の入金依頼を示す情報を送信する（ステップＳ５３）。一方、ステップＳ５１において、支援装置１００の実行部１０８により落札者なしと判定された場合（ステップＳ５１：Ｎｏ）、支援装置１００の入金処理部１０９は、入金依頼を送信することなく、処理を終了する。
【００６７】
次に、支援装置１００による落札者への商品配送処理の２つ目の例について説明する。２つ目の例は、札者による入金後に発送する例を示す。図１７は、本実施形態における支援装置１００による落札者への商品の配送処理を示すフローチャートである。
【００６８】
図１７において、支援装置１００の実行部１０８は、落札者の有無を判定する（ステップＳ６１）。支援装置１００の入金処理部１０９は、ステップＳ６１において、落札者ありと判定された場合は（ステップＳ６１：Ｙｅｓ）、落札者の端末装置２００ｃに落札価格の入金依頼を示す情報を送信する（ステップＳ６２）。支援装置１００の入金処理部１０９は、入金されたか否かを判定する（ステップＳ６３）。支援装置１００の入金処理部１０９は、入金されたと判定した場合（ステップＳ６３：Ｙｅｓ）、クラウドワーカーの端末装置２００ｂに落札者の配送コードと、商品発送の指示を送信する（ステップＳ６４）。
【００６９】
一方、ステップＳ６３において、支援装置１００の入金処理部１０９は、落札者なしと判定された場合（ステップＳ６１：Ｎｏ）、および、ステップＳ６３において、入金なしと判定された場合（ステップＳ６３：Ｎｏ）、売買不成立と判定し（ステップＳ６５）、処理を終了する。
【００７０】
次に、支援装置１００と、出品依頼者の端末装置２００ａと、クラウドワーカーの端末装置２００ｂによる出品代行処理について説明する。図１８は、支援装置１００と、出品依頼者の端末装置２００ａと、クラウドワーカーの端末装置２００ｂによる出品代行処理の流れを示すシーケンス図である。なお、図１８においては、支援装置１００により買取価格を入金するタイミングとして、出品依頼者の端末装置２００ａから買取承諾を受信した後を例示する。
【００７１】
出品依頼者の端末装置２００ａは、支援装置１００に商品画像を含む出品依頼を示す情報を送信する（ステップＳ７１）。支援装置１００は、商品画像により識別される商品の状態を判定する（ステップＳ７２）。支援装置１００は、相場情報データベース１２３を参照して、落札相場情報を取得する（ステップＳ７３）。支援装置１００は、商品の買取価格を算出する（ステップＳ７４）。具体的には、支援装置１００は、ステップＳ７２において判定した商品の状態、および、ステップＳ７３において取得した落札相場情報から、買取価格を算出する。
【００７２】
支援装置１００は、買取価格を出品依頼者の端末装置２００ａに通知する（ステップＳ７５）。出品依頼者の端末装置２００ａは、支援装置１００により送信された買取価格による買取承諾を示す情報を支援装置１００に送信する（ステップＳ７５）。
【００７３】
支援装置１００は、出品依頼者の端末装置２００ａに、買取価格を入金する（ステップＳ７７）。支援装置１００は、出品を代行するクラウドワーカーを抽出する（ステップＳ７８）。具体的には、支援装置１００は、クラウドワーカー情報データベース１２２を参照し、出品依頼に含まれる商品画像により識別される商品を過去に出品した履歴に対応付けられているクラウドワーカーや、出品依頼に含まれる商品画像に含まれる商品点数を代理出品可能なクラウドワーカーのクラウドワーカーＩＤを抽出する。
【００７４】
支援装置１００は、クラウドワーカーの端末装置２００ｂに商品リストと商品画像を送信する（ステップＳ７９）。具体的には、支援装置１００は、出品依頼に含まれる商品画像と、商品画像から特定した商品の種類とを対応付けて商品リストを生成し、生成したリストをクラウドワーカーの端末装置２００ｂに送信する。
【００７５】
支援装置１００は、出品依頼者の端末装置２００ａに商品の配送先情報を送信する（ステップＳ８０）。出品依頼者の端末装置２００ａは、商品の暗号化された配送状況を支援装置１００に送信する（ステップＳ８１）。クラウドワーカーの端末装置２００ｂは、支援装置１００から受信した商品リストを用いて出品情報を生成する（ステップＳ８２）。クラウドワーカーの端末装置２００ｂは、出品情報を支援装置１００に送信する（ステップＳ８３）。支援装置１００は、クラウドワーカーの端末装置２００ｂから受信した出品情報を用いてオークションを実行し（ステップＳ８４）、処理を終了する。
【００７６】
次に、支援装置１００と、落札者の端末装置２００ｃと、クラウドワーカーの端末装置２００ｂによる落札された商品の発送処理について説明する。図１９は、支援装置１００と、落札者の端末装置２００ｃと、クラウドワーカーの端末装置２００ｂによる落札された商品の発送処理の流れを示すシーケンス図である。なお、図１９では、支援装置１００がクラウドワーカーの端末装置２００ｂに商品の発送を指示するタイミングとして、オークション終了後である場合を例示する。
【００７７】
支援装置１００は、オークションを終了する（ステップＳ９１）。支援装置１００は、落札者の端末装置２００ｃに入金依頼を送信するとともに（ステップＳ９２）、クラウドワーカーの端末装置２００ｂに落札者の配送コードと商品の発送指示を送信する（ステップＳ９２）。クラウドワーカーの端末装置２００ｂは、商品の配送状況を支援装置１００に送信する（ステップＳ９３）。落札者の端末装置２００ｃは、支援装置１００に入金し（ステップＳ９４）、処理を終了する。
【００７８】
図２０は、本実施形態における支援装置１００を実現可能なコンピュータ２０の一例を示すハードウェア構成図である。図２０に示すように、コンピュータ２０は、ＣＰＵ（Central  ProceＳＳing  Unit）２１、ＲＡＭ（Random  AcceＳＳ  Memory）２２、ＲＯＭ（Read  Only  Memory）２３、ＨＤＤ（Hard  DiＳk  Drive）２４、通信インターフェース（Ｉ／Ｆ）２５、入出力インターフェース（Ｉ／Ｆ）２６、およびメディアインターフェース（Ｉ／Ｆ）２７を備える。
【００７９】
ＣＰＵ２１は、ＲＯＭ２３またはＨＤＤ２４に格納されたプログラムにより動作し、各部の制御を行う。ＲＯＭ２３は、コンピュータ２０の起動時にＣＰＵ２１によって実行されるブートプログラムや、コンピュータ２０のハードウェアに依存するプログラム等を格納する。
【００８０】
ＨＤＤ２４は、ＣＰＵ２１によって実行されるプログラムおよび当該プログラムによって使用されるデータ等を格納する。通信インターフェース２５は、通信回線を介して外部機器から受信したデータをＣＰＵ２１に送り、ＣＰＵ２１が生成したデータを、通信回線を介して外部機器に送信する。
【００８１】
ＣＰＵ２１は、入出力インターフェース２６を介して、ディスプレイやプリンタ等の出力装置、および、キーボードやマウス等の入力装置を制御する。ＣＰＵ２１は、入出力インターフェース２６を介して、入力装置からデータを取得する。また、ＣＰＵ２１は、生成したデータを、入出力インターフェース２６を介して出力装置へ出力する。
【００８２】
メディアインターフェース２７は、記憶媒体２８に格納されたプログラムまたはデータを読み取り、ＲＡＭ２２を介してＣＰＵ２１に提供する。ＣＰＵ２１は、当該プログラムを、メディアインターフェース２７を介して記憶媒体２８からＲＡＭ２２上にロードし、ロードしたプログラムを実行する。記憶媒体２８は、例えばＤＶＤ（Digital  VerＳatile  DiＳc）等の光学記憶媒体、磁気記憶媒体、または半導体メモリ等である。
【００８３】
コンピュータ２０が実施形態１および実施形態２における支援装置１００、３００として機能する場合、コンピュータ２０のＣＰＵ２１は、ＲＡＭ２２上にロードされたプログラムを実行することにより、受付部１０２、表示制御部１０３、３０３、選択結果取得部１０４、判定部１０５、３０５、相場情報取得部１０６、送受信部１０７、入出金処理部３０８の各機能を実現する。また、ＨＤＤ２４には、ユーザ情報データベース１１１、オークション開催情報データベース１１２、相場情報データベース１１３内のデータが格納される。
【００８４】
支援プログラムは、インストール可能な形式又は実行可能な形式のファイルでＣＤ−ＲＯＭ、ＣＤ−Ｒ、メモリカード、ＤＶＤ（Digital  VerＳatile  DiＳk）、フレキシブルディスク（ＦＤ）等のコンピュータで読み取り可能な記憶媒体に記憶されて提供される。コンピュータ２０のＣＰＵ２１は、これらのプログラムを、メディアインターフェース２７を介して上記の記憶媒体から読み取って実行するが、他の例として、外部装置から、通信回線を介してこれらのプログラムを取得してもよい。
【００８５】
なお、支援プログラムは、例えば、ActionＳcript、JavaＳcript（登録商標）、Python、Rubyなどのスクリプト言語、C言語、C＋＋、C＃、Objective-C、Ｓwift、Java（登録商標）などのコンパイラ言語などを用いて実装できる。
【００８６】
このように、本実施形態においては、インターネット上で代行による物品の売買取引を円滑に行うことができる。とりわけ、代行者が出品依頼者の住所を考慮して代行販売が割り振られた場合は、送料や配送日数が低減されるため出品依頼者の負担が軽減され、代行者が代行者の過去の取引履歴、処理可能な件数などを考慮して代行販売を割り振られた場合は、代行者の負担が軽減される。また、出品依頼者および落札者の各端末に送信される配送先情報がコード化されることで、匿名で商品を配送できることから、個人情報の漏洩や拡散を防止することができる。また、出品依頼者には、適正な算出方法により算出された買取価格や、追加支払価格が、出品前に支払われるため、時間的および金額的に満足度の高い取引を提供することができる。さらに、落札者には、落札された時点で商品が配送される場合、従来よりも迅速に希望の商品を受け取ることができるため、落札者にとっても満足度が高い取引を提供することができる。
【産業上の利用可能性】
【００８７】
この発明は、インターネット上で代行による物品の売買取引を円滑に行うことができるという効果を有する。
【符号の説明】
【００８８】
１      支援システム
１０    ネットワーク
１００  支援装置
１０１、２０１、２５０  制御部
１０２  受付部
１０３  判定部
１０４  算出部
１０５  抽出部
１０６  生成部
１０７  取得部
１０８  実行部
１０９  入金処理部
１１０  送信部
１１１  受信部
１２０、２１０、２４０  記憶部
１２１  ユーザ情報データベース
１２２  クラウドワーカー情報データベース
１２３  相場情報データベース
１２４  画像情報データベース
１３０、２２０、２６０  通信制御インターフェース部
２００  端末装置
２０２  受付部
２０３  画像取得部
２３１、２７１  表示部
２３２、２７２  入力部
【図１】
2019091322.tif 000003
【図２】
2019091322.tif 000004
【図３】
2019091322.tif 000005
【図４】
2019091322.tif 000006
【図５】
2019091322.tif 000007
【図６】
2019091322.tif 000008
【図７】
2019091322.tif 000009
【図８】
2019091322.tif 000010
【図９】
2019091322.tif 000011
【図１０】
2019091322.tif 000012
【図１１】
2019091322.tif 000013
【図１２】
2019091322.tif 000014
【図１３】
2019091322.tif 000015
【図１４】
2019091322.tif 000016
【図１５】
2019091322.tif 000017
【図１６】
2019091322.tif 000018
【図１７】
2019091322.tif 000019
【図１８】
2019091322.tif 000020
【図１９】
2019091322.tif 000021
【図２０】
2019091322.tif 000022